(57)【要約】      （修正有）【課題】音声出力機器において、検出専用の接続経路を必要とすることなく、音声信号の伝送経路のみで音声入力機器の接続を検出できるようにする。【解決手段】第1のコンデンサ１０Ｒを介して第１の出力端子１２Ｒを設けると共に第２のコンデンサ１０Ｌを介して第２の出力端子１２Ｌを設け、第１の入力端子２Ｒよりの音声信号を第３のコンデンサ２２Ｒを介して入力するようにすると共にこの第２の入力端子２Ｌよりの音声信号を第４のコンデンサ２２Ｌを介して入力する。第１の直流電圧供給手段２０を設けると共に第１の直流電圧検出手段３０を設け、第２の直流電圧供給手段２７を設けると共に第２の直流電圧検出手段１９を設け、この第１の直流電圧供給手段２０よりの直流電圧をこの第１の直流電圧検出手段３０で検出し、この第２の直流電圧供給手段２７よりの直流電圧をこの第２の直流電圧検出手段１９で検出するようにした。【選択図】図１
2007013448.tif 000002
【特許請求の範囲】
【請求項１】
音声出力機器に第1のコンデンサを介して第１の出力端子を設けると共に第２のコンデンサを介して第２の出力端子を設け、音声入力機器の第１の入力端子よりの音声信号を第３のコンデンサを介して入力するようにすると共に前記音声入力機器の第２の入力端子よりの音声信号を第４のコンデンサを介して入力するようにし、前記第１のコンデンサと前記第１の出力端子との間に直流電圧を供給する第１の直流電圧供給手段を設けると共に前記第１の入力端子と前記第３のコンデンサとの間の直流電圧を検出する第１の直流電圧検出手段を設け、前記第２入力端子と前記第４のコンデンサとの間に直流電圧を供給する第２の直流電圧供給手段を設けると共に前記第２の出力端子と前記第２のコンデンサとの間の直流電圧を検出する第２の直流電圧検出手段を設け、前記音声出力機器の第１及び第２の出力端子を前記音声入力機器の第１及び第２の入力端子に接続したとき、前記第１の直流電圧供給手段よりの直流電圧を前記第１の直流電圧検出手段で検出し、前記第２の直流電圧供給手段よりの直流電圧を前記第２の直流電圧検出手段で検出するようにしたことを特徴とする音声出力機器における音声入力機器の接続検出装置。
【請求項２】
音声出力機器に第1のコンデンサを介して第１の出力端子を設けると共に第２のコンデンサを介して第２の出力端子を設け、ウーハー装置の第１の入力端子よりの音声信号を第３のコンデンサを介してウーハーに入力するようにすると共に前記ウーハー装置に第２の入力端子を設け、前記第１の入力端子と第３のコンデンサとの間に直流電圧を供給する第１の直流電圧供給手段を設けると共に前記第１のコンデンサと前記第１の出力端子との間の直流電圧を検出する直流電圧検出手段を設け、前記第２のコンデンサと前記第２の出力端子との間に直流電圧を供給する第２の直流電圧供給手段を設けると共に前記第２の入力端子に前記ウーハー装置の主電源スイッチを制御する制御手段を設け、前記音声出力機器の第１及び第２の出力端子を前記ウーハー装置の第１及び第２の入力端子に接続したとき、前記第１の直流電圧供給手段よりの直流電圧を前記直流電圧検出手段で検出し、前記第２の直流電圧供給手段よりの直流電圧により前記ウーハー装置の主電源スイッチをオンとするようにしたことを特徴とする音声出力機器におけるウーハー装置の接続検出装置。
【請求項３】
請求項２記載の音声出力機器におけるウーハー装置の接続検出装置おいて、
前記主電源スイッチをオンしたときに前記第１の直流電圧供給手段を不動作とするようにしたことを特徴とする音声出力機器におけるウーハー装置の接続検出装置。
【発明の詳細な説明】
【技術分野】
【０００１】
本発明は、テレビジョン受像機、音響再生機器等の音声出力機器におけるスピーカ装置、録音機器等の音声入力機器の接続検出装置及び音声出力機器におけるウーハー装置の接続検出装置に関する。
【背景技術】
【０００２】
一般に、テレビジョン受像機、音響再生機器等の音声出力機器において、スピーカ装置、録音機器等の音声入力機器が接続されているかどうかを検出し、この音声出力機器に音声入力機器が接続されていつときに、音声出力機器側で音声入力機器への音声信号の各種制御を行う如くしている。
【０００３】
従来、音声出力機器側でスピーカ装置、録音機器等の音声入力機器の接続を検出するのに、例えば特殊な形状のコネクタを使用して検出スイッチを操作したり、設置箇所を制約して特殊形状のコネクタにより、検出スイッチを操作する等機械的な方法や、接続検出専用の制御信号を用いて接続を検出する電気的な方法があった（特許文献１参照）。
【特許文献１】特開２００３−３２８００号公報
【発明の開示】
【発明が解決しようとする課題】
【０００４】
然しながら、機械的な方法では、コネクタが特殊な形状となり構成が複雑となり高価となる不都合があった。
【０００５】
また、電気的な方法では、音声出力機器と音声入力機器との間に音声信号の接続線の外に接続検出信号を伝送する検出専用接続経路が必要となる不都合があった。
【０００６】
本発明は、斯かる点に鑑み、音声出力機器において、検出専用の接続経路を必要とすることなく、音声信号の伝送経路のみで音声入力機器の接続を検出できるようにすることを目的とする。
【課題を解決するための手段】
【０００７】
本発明音声出力機器における音声入力機器の接続検出装置は、音声出力機器に第1のコンデンサを介して第１の出力端子を設けると共に第２のコンデンサを介して第２の出力端子を設け、音声入力機器の第１の入力端子よりの音声信号を第３のコンデンサを介して入力するようにすると共にこの音声入力機器の第２の入力端子よりの音声信号を第４のコンデンサを介して入力するようにし、この第１のコンデンサとこの第１の出力端子との間に直流電圧を供給する第１の直流電圧供給手段を設けると共にこの第１の入力端子とこの第３のコンデンサとの間の直流電圧を検出する第１の直流電圧検出手段を設け、この第２入力端子とこの第４のコンデンサとの間に直流電圧を供給する第２の直流電圧供給手段を設けると共にこの第２の出力端子とこの第２のコンデンサとの間の直流電圧を検出する第２の直流電圧検出手段を設け、この音声出力機器の第１及び第２の出力端子をこの音声入力機器の第１及び第２の入力端子に接続したとき、この第１の直流電圧供給手段よりの直流電圧をこの第１の直流電圧検出手段で検出し、この第２の直流電圧供給手段よりの直流電圧をこの第２の直流電圧検出手段で検出するようにしたものである。
【０００８】
また、本発明音声出力機器におけるウーハー装置の接続検出装置は、音声出力機器に第1のコンデンサを介して第１の出力端子を設けると共に第２のコンデンサを介して第２の出力端子を設け、ウーハー装置の第１の入力端子よりの音声信号を第３のコンデンサを介してウーハーに入力するようにすると共に前記ウーハー装置に第２の入力端子を設け、前記第１の入力端子と第３のコンデンサとの間に直流電圧を供給する第１の直流電圧供給手段を設けると共に前記第１のコンデンサと前記第１の出力端子との間の直流電圧を検出する直流電圧検出手段を設け、前記第２のコンデンサと前記第２の出力端子との間に直流電圧を供給する第２の直流電圧供給手段を設けると共に前記第２の入力端子に前記ウーハー装置の主電源スイッチを制御する制御手段を設け、前記音声出力機器の第１及び第２の出力端子を前記ウーハー装置の第１及び第２の入力端子に接続したとき、前記第１の直流電圧供給手段よりの直流電圧を前記直流電圧検出手段で検出し、前記第２の直流電圧供給手段よりの直流電圧により前記ウーハー装置の主電源スイッチをオンとするようにしたものである。
【発明の効果】
【０００９】
本発明によれば、音声信号伝送経路に供給した直流電圧を検出するようにしたので、音声出力機器側で外部スピーカ装置、録音機器、ウーハー装置等の音声入力機器の接続を検出でき、音声出力機器側で検出専用の接続経路を必要とすることなく、音声信号の伝送経路のみで音声入力機器の接続を検出できる。
【発明を実施するための最良の形態】
【００１０】
以下、図１及び図２を参照して本発明音声出力機器における音声入力機器の接続検出装置を実施するための最良の形態の例につき説明する。
図１例は、音声出力機器としての例えばテレビジョン受像機の音声出力装置１に、音声としての外部スピーカ装置２を接続できるようにしたものである。
【００１１】
図１において、３は例えばテレビジョン放送の音声信号が供給される音声信号入力端子を示し、この音声信号入力端子３よりの音声信号を音声信号処理回路を構成するデジタルシグナルプロセッサ（ＤＳＰ）４に供給する。このデジタルシグナルプロセッサ４は種々の音声信号の処理を行うものである。
【００１２】
このデジタルシグナルプロセッサ４の内部用の左信号出力端子４Ｌに得られる左音声信号を増幅回路５Ｌを介してテレビジョン受像機内に設けられた左スピーカ６Ｌに供給し、またこのデジタルシグナルプロセッサ４の内部用の右信号出力端子４Ｒに得られる右音声信号を増幅回路５Ｒを介してテレビジョン受像機内に設けられた右スピーカ６Ｒに供給する。
【００１３】
また、この音声信号処理回路を構成するデジタルシグナルプロセッサ４の外部用の左音声信号が供給される出力端子４ＬＯを増幅回路７Ｌ、直流阻止用のコンデンサ８Ｌ、抵抗器９Ｌ、直流阻止用のコンデンサ１０Ｌ及び抵抗器１１Ｌの直列回路を介して外部左信号出力端子１２Ｌに接続する。
【００１４】
この抵抗器９Ｌ及びコンデンサ１０Ｌの接続点を抵抗器１３Ｌを介して接地すると共にこの抵抗器９Ｌ及び１０Ｌの接続点をミュート回路を構成するｎｐｎ形トランジスタ１４Ｌのコレクタに接続し、このトランジスタ１４Ｌのエミッタを接地し、このトランジスタ１４Ｌのベースに後述するマイコン１５よりの制御信号を供給し、このトランジスタ１４Ｌにより必要時に音声信号をミュートする如くする。
【００１５】
また、コンデンサ１０Ｌ及び抵抗器１１Ｌの接続点を抵抗器１６Ｌを介して接地する。抵抗器１１Ｌ及び外部左信号出力端子１２Ｌの接続点を定電圧回路を構成するツェナーダイオード１７Ｌを介して接地する。
【００１６】
本例においては、この抵抗器１１Ｌ及び外部左信号出力端子１２Ｌの接続点を逆流防止用のダイオード１８を介して直流電圧検出回路１９を構成するｎｐｎ形トランジスタ１９ａのコレクタに接続し、このトランジスタ１９ａのエミッタを抵抗器１９ｂ及びコンデンサ１９ｃの直列回路を介して接地し、この抵抗器１９ｂ及びコンデンサ１９ｃの接続点を抵抗器１９ｄを介して接地する。
【００１７】
この直流電圧検出回路１９はマイコン１５よりの制御信号をトランジスタ１９ａのベースに供給し、このトランジスタ１９ａがオンのときに、抵抗器１９ｂ及び１９ｄの接続点に得られる電圧により直流電圧を検出し、この検出信号をマイコン１５に供給するようにしたものである。
【００１８】
また、この音声信号処理回路を構成するデジタルシグナルプロセッサ４の外部用の右音声信号が供給される出力端子４ＲＯを増幅回路７Ｒ、直流阻止用のコンデンサ８Ｒ、抵抗器９Ｒ、直流阻止用のコンデンサ１０Ｒ及び抵抗器１１Ｒの直列回路を介して外部左信号出力端子１２Ｒに接続する。
【００１９】
この抵抗器９Ｒ及びコンデンサ１０Ｒの接続点を抵抗器１３Ｒを介して接地すると共にこの抵抗器９Ｒ及び１０Ｒの接続点をミュート回路を構成するｎｐｎ形トランジスタ１４Ｒのコレクタに接続し、このトランジスタ１４Ｒのエミッタを接地し、このトランジスタ１４Ｒのベースに後述するマイコン１５よりの制御信号を供給し、このトランジスタ１４Ｒにより必要時に音声信号をミュートする如くする。
【００２０】
また、コンデンサ１０Ｒ及び抵抗器１１Ｒの接続点を抵抗器１６Ｒを介して接地する。抵抗器１１Ｒ及び外部左信号出力端子１２Ｒの接続点を定電圧回路を構成するツェナーダイオード１７Ｒを介して接地する。
【００２１】
本例においては、この抵抗器１１Ｒ及び外部左信号出力端子１２Ｒの接続点を抵抗器２０ａを介して直流電圧供給回路２０を構成するｐｎｐ形トランジスタ２０ｂのコレクタに接続し、このトランジスタ２０ｂのエミッタを直流電圧が供給される電源端子２０ｃに接続し、この直流電圧供給回路２０は例えばテレビジョン受像機の電源オン時にマイコン１５よりトランジスタ２０ｂのベースに制御信号を供給し、このトランジスタ２０ｂがオンのときに、このトランジスタ２０ｂ及び抵抗器２０ａを介して、外部右信号出力端子１２Ｒに所定の直流電圧を供給する。
【００２２】
図１において、２Ｌは外部スピーカ装置２の左信号入力端子を示し、この左信号入力端子２Ｌに得られる左音声信号を抵抗器２１Ｌ、直流阻止用のコンデンサ２２Ｌ及び増幅回路２３Ｌの直列回路を介して左スピーカ２４Ｌに供給する。
【００２３】
この左信号入力端子２Ｌ及び抵抗器２１Ｌの接続点を定電圧回路を構成するツェナーダイオード２５Ｌを介して接地し、また、抵抗器２１Ｌ及びコンデンサ２２Ｌの接続点を抵抗器２６Ｌを介して接地する。
【００２４】
本例においては、この左信号入力端子２Ｌ及び抵抗器２１Ｌの接続点を抵抗器２７ａを介して直流電圧供給回路２７を構成するｐｎｐ形トランジスタ２７ｂのコレクタに接続し、このトランジスタ２７ｂのエミッタを直流電圧が供給される電源端子２７ｃに接続し、この直流電圧供給回路２７は後述するマイコン２８よりの制御信号をトランジスタ２７ｂのベースに供給し、このトランジスタ２７ｂがオンのときに、このトランジスタ２７ｂ及び抵抗器２７ａを介してこの左信号入力端子２Ｌに所定の直流電圧を供給する。
【００２５】
また、図１において、２Ｒは外部スピーカ装置２の右信号入力端子を示し、この右信号入力端子２Ｒに得られる右音声信号を抵抗器２１Ｒ、直流阻止用のコンデンサ２２Ｒ及び増幅回路２３Ｒの直列回路を介して右スピーカ２４Ｒに供給する。
【００２６】
この右信号入力端子２Ｒ及び抵抗器２１Ｒの接続点を定電圧回路を構成するツェナーダイオード２５Ｒを介して接地し、また、抵抗器２１Ｒ及びコンデンサ２２Ｒの接続点を抵抗器２６Ｒを介して接地する。
【００２７】
本例においては、右信号入力端子２Ｒ及び抵抗器２１Ｒの接続点を逆流防止用のダイオード２９を介して直流電圧検出回路３０を構成するｎｐｎ形トランジスタ３０ａのコレクタに接続し、このトランジスタ３０ａのエミッタを抵抗器３０ｂ及びコンデンサ３０ｃの直列回路を介して接地し、この抵抗器３０ｂ及びコンデンサ３０ｃの接続点を抵抗器３０ｄを介して接地する。
【００２８】
この直流電圧検出回路３０はマイコン２８よりの制御信号をトランジスタ３０ａのベースに供給し、このトランジスタ３０ａがオンのときに、抵抗器３０ｂ及び３０ｄの接続点に得られる電圧により直流電圧を検出し、この検出信号をマイコン２８に供給するようにしたものである。
【００２９】
本例は上述の如く構成されているので、テレビジョン受像機の音声出力装置１の外部左信号出力端子１２Ｌ及び外部右信号出力端子１２Ｒに外部スピーカ装置２の左信号入力端子２Ｌ及び右信号入力端子２Ｒを夫々接続し、テレビジョン受像機の電源をオンしたときには、テレビジョン受像機の音声出力装置１はマイコン１５により図２のフローチャートに示す如く動作するようにする。
【００３０】
即ち、テレビジョン受像機の電源をオンした（ステップＳ１）ときには、マイコン１５よりの制御信号によりミュート回路を構成するトランジスタ１４Ｌ及び１４Ｒをオンしてミュート状態とする（ステップＳ２）と共に直流電圧供給回路２０を構成するトランジスタ２０ｂをオンして外部右信号出力端子１２Ｒに所定の直流電圧を重畳する（ステップＳ３）。
【００３１】
また、このときトランジスタ１９ａをオンとし、直流電圧検出回路１９を動作状態とし（ステップＳ４）、その後、直流電圧の検出に必要な所定時間この直流電圧検出回路１９の動作状態を継続する（ステップＳ５、ステップＳ６）。
【００３２】
一方、このとき外部スピーカ装置２はマイコン２８により図３のフローチャートに示す如く動作するようにする。この外部スピーカ装置２においては、初めマイコン２８よりの制御信号によりトランジスタ３０ａをオンし直流電圧検出回路３０を動作状態としておく（ステップＳ２０）、この直流電圧検出回路３０の動作状態を所定時間継続する如くする（ステップＳ２１、ステップＳ２２）。
【００３３】
ステップＳ３で外部右信号出力端子１２Ｒに直流電圧が重畳されたときは、この直流電圧が右音声信号の伝送線路を通じて直流電圧検出回路３０に供給されるので、直流電圧検出回路３０はこの直流電圧を検出し（ステップＳ２１）、この検出信号をマイコン２８に送る。
【００３４】
このときマイコン２８はトランジスタ２７ｂをオンし、直流電圧供給回路２７を動作状態とし、所定の直流電圧をこの外部スピーカ装置２の左信号入力端子２Ｌに重畳する（ステップＳ２３）。
【００３５】
このステップＳ２３で左信号入力端子２Ｌに直流電圧が重畳されたときは、この直流電圧が左音声信号の伝送線路を通じてテレビジョン受像機側の直流電圧検出回路１９に供給されるので、直流電圧検出回路１９はこの直流電圧を検出し（ステップＳ５）、外部スピーカ装置２が外部左及び右信号出力端子１２Ｌ及び１２Ｒに接続されていることを確認する（ステップＳ７）。
【００３６】
外部スピーカ装置２が接続されていることが確認された後は、トランジスタ２０ｂ及び１９ａをオフとし、直流電圧供給回路２０及び直流電圧検出回路１９を不動作とし（ステップＳ８）、更にミュート回路を構成するトランジスタ１４Ｌ及び１４Ｒをオフとしてミュート回路を不動作とする（ステップＳ９）。
【００３７】
その後、音声信号処理回路を構成するデジタルシグナルプロセッサ４より出力端子４ＬＯ及び４ＲＯのみに左及び右音声信号を供給するようにし、外部スピーカ装置２より放音するようにする（ステップＳ１０）。
【００３８】
また、このとき、外部スピーカ装置２においても、テレビジョン受像機の音声出力装置１で外部スピーカ装置２の接続を確認後にトランジスタ３０ａ及び２７ｂをオフし、直流電圧検出回路３０及び直流電圧供給回路２７を不動作とする（ステップＳ２４）。
【００３９】
また、本例においては、音声信号の伝送経路にコンデンサ８Ｌ，１０Ｌ及び２２Ｌとコンデンサ８Ｒ，１０Ｒ及び２２Ｒとを設けたので直流成分はカットされており、音声信号への影響は遮断されている。
【００４０】
また、図２に示す如く、直流電圧検出回路１９において、所定時間経過しても直流電圧が検出できないときは、外部スピーカ装置２は接続されていないものと確認（判断）する（ステップＳ１１）。
【００４１】
外部スピーカ装置２が接続されていないことが確認された後は、トランジスタ２０ｂ及び１９ａをオフとし、直流電圧供給回路２０及び直流電圧検出回路１９を不動作とし（ステップＳ１２）、更にミュート回路を構成するトランジスタ１４Ｌ及び１４Ｒをオフとしてミュート回路を不動作とする（ステップＳ１３）。
【００４２】
その後、音声信号処理回路を構成するデジタルシグナルプロセッサ４は左信号出力端子４Ｌ及び右信号出力端子４Ｒのみに左音声信号及び右音声信号を出力し、内部左スピーカ６Ｌ及び内部右スピーカ６Ｒより放音する（ステップＳ１４）。
【００４３】
また、外部スピーカ装置２で所定時間経過しても直流電圧が検出できないとき（ステップＳ２２）は処理を終了する。
【００４４】
本例によれば、テレビジョン受像機の音声出力装置１の直流電圧供給回路２０で外部右信号出力端子１２Ｒに重畳した直流電圧を外部スピーカ装置２の直流電圧検出回路３０で検出し、外部スピーカ装置２の直流電圧供給回路２７で左信号入力端子２Ｌに重畳した直流電圧を音声出力装置１の直流電圧検出回路１９で検出しているので、音声出力装置１側で外部スピーカ装置２の接続を検出でき、音声出力装置１側で検出専用の接続経路を必要とすることなく、音声信号の伝送経路のみでこの外部スピーカ装置２の接続を検出できる。
【００４５】
図４は、本発明音声出力機器におけるウーハー装置の接続検出装置を実施するための最良の形態の例を示す。図４例は音声出力機器としての例えばテレビジョン受像機の音声出力装置１に２.１チャンネルの音響装置を構成するウーハー装置４０を接続できるようにしたものである。
【００４６】
図４につき説明するに、図４例のテレビジョン受像機の音声出力装置１は図１例の音声出力装置１と同様に構成したものであり、この図４において、図１に対応する部分には同一符号を付し、その詳細説明は省略する。
【００４７】
図４において、４０ａはウーハー装置４０の音声信号入力端子を示し、この音声信号入力端子４０ａに得られるウーハー音声信号を抵抗器４１、直流阻止用のコンデンサ４２及び増幅回路４３の直列回路を介してウーハー４４に供給する。
【００４８】
この音声信号入力端子４０ａ及び抵抗器４１の接続点を定電圧回路を構成するツェナーダイオード４５を介して接地し、また、抵抗器４１及びコンデンサ４２の接続点を抵抗器４６を介して接地する。
【００４９】
本例においては、この音声信号入力端子４０ａ及び抵抗器４１の接続点を抵抗器４７ａを介して直流電圧供給回路４７を構成するｐｎｐ形トランジスタ４７ｂのコレクタに接続し、このトランジスタ４７ｂのエミッタを直流電圧が供給される電源端子４７ｃに接続し、この直流電圧供給回路４７は後述するマイコン４８よりの制御信号をトランジスタ４７ｂのベースに供給し、このトランジスタ４７ｂがオンのときに、このトランジスタ４７ｂ及び抵抗器４７ａを介してこの音声信号入力端子４０ａに所定の直流電圧を供給する。
【００５０】
本例においては、このウーハー装置４０が不動作時に補助電源により、マイコン４８からこのトランジスタ４７ｂのベースに制御信号を供給し、このとき音声信号入力端子４０ａに所定の直流電圧を重畳する如くする。
【００５１】
また、このウーハー装置４０に他の入力端子４０ｂを設ける。この入力端子４０ｂをスイッチング素子を構成するｎｐｎ形トランジスタ４９のベースに接続し、このトランジスタ４９のベースを抵抗器５０及び定電圧回路を構成するツェナーダイオード５１の並列回路を介して接地する。
【００５２】
このトランジスタ４９のエミッタを接地し、このトランジスタ４９のコレクタをこのウーハー装置４０の主電源スイッチ５２をオン・オフ制御する制御回路を構成する電磁装置５３及び抵抗器５４の直列回路を介して電源端子５５に接続する。
【００５３】
本例においては、テレビジョン受像機の音声出力装置１の音声信号処理回路を構成するデジタルシグナルプロセッサ４はマイコン１５が、ウーハー装置４０が接続されたと判断したときに出力端子４ＬＯにこのデジタルシグナルプロセッサ４で形成したウーハー音声信号を出力し、出力端子４ＲＯに音声信号を出力しない如くし、更に、ウーハー４４の周波数特性が図７の曲線ａに示す如くなるようにし、左及び右スピーカ６Ｌ及び６Ｒの周波数特性が図７の曲線ｂに示すごとくなるようにし、このウーハー４４と左及び右スピーカ６Ｌ及び６Ｒとより放音する音声の周波数特性が広帯域でフラットになる如く音声信号を処理する。
【００５４】
図４例は上述如く構成されているので、テレビジョン受像機の音声出力装置１の外部左信号出力端子１２Ｌ及び外部右信号出力端子１２Ｒにウーハー装置４０の音声信号入力端子４０ａ及び入力端子４０ｂを夫々接続し、テレビジョン受像機の音声出力装置１はマイコン１５により図５のフローチャートに示す如く動作するようにする。
【００５５】
即ち、テレビジョン受像機をオンした（ステップＳ３０）ときには、マイコン１５よりの制御信号によりミュート回路を構成するトランジスタ１４Ｌ及び１４Ｒをオンしてミュート状態とする（ステップＳ３１）と共に直流電圧検出回路１９を構成するトランジスタ１９ａをオンしてこの直流電圧検出回路１９を動作状態とする（ステップＳ３２）。
【００５６】
一方、ウーハー装置４０においては、図６に示す如く主電源スイッチ５２がオフのときは、直流電圧供給回路４７を構成するトランジスタ４７ｂはオンであり、この直流電圧供給回路４７は動作中（ステップＳ５０）で、音声信号入力端子４０ａには、所定の直流電圧が重畳されている。
【００５７】
従って、テレビジョン受像機の音声出力装置１の直流電圧検出回路１９が動作状態となったときはこの音声信号入力端子４０ａに重畳された直流電圧が音声信号経路を介して検出される（ステップＳ３３）。この直流電圧検出回路１９の直流電圧の検出信号がマイコン１５に供給され、マイコン１５でウーハー装置４０が接続されていることが確認される（ステップＳ３４）。
【００５８】
ウーハー装置４０が接続されていることが確認されたときは、マイコン１５は制御信号を直流電圧供給回路２０を構成するトランジスタ２０ｂのベースに供給し、この直流電圧供給回路２０を動作状態とし、外部右信号出力端子１２Ｒに所定の直流電圧を重畳する（ステップＳ３５）と共に音声信号処理回路を構成するデジタルシグナルプロセッサ（ＤＳＰ）４を制御し、出力端子４ＬＯにウーハー音声信号を出力すると共に出力端子４ＲＯに音声信号を出力しない如くする（ステップＳ３６）。
【００５９】
外部右信号出力端子１２Ｒに所定の直流電圧が重畳されたときは、この直流電圧が入力端子４０ｂを通してトランジスタ４９のベースに供給され、このトランジスタ４９をオンとして電磁装置５３に電流を流し、このウーハー装置４０の主電源スイッチ５２をオンとする（ステップＳ５１）。
【００６０】
このウーハー装置４０の主電源スイッチ５２がオンされたときは、マイコン４８は直流電圧供給回路４７を構成するトランジスタ４７ｂオフとし、この直流電圧供給回路４７を不動作とし（ステップＳ５２）、このウーハー装置４０を動作状態とし、２.１チャンネルモードで動作する如くする（ステップＳ５３）。
【００６１】
次に、直流電圧検出回路１９で直流電圧が無くなったことを検出し（ステップＳ３７）、このときウーハー装置４０が動作状態になったことを確認する（ステップＳ３８）。
【００６２】
ウーハー装置４０が動作状態になったことを確認した後は、このマイコン１５はトランジスタ１９ａをオフとし直流電圧検出回路１９を不動作とする（ステップＳ３９）と共にミュート回路を構成するトランジスタ１４Ｌ及び１４Ｒをオフとしてミュート回路を不動作とし（ステップＳ４０）、２.１チャンネル動作モードとする（ステップＳ４１）。
【００６３】
また、本例においては、図５に示す如く、ステップＳ３３で直流電圧検出回路１９において、直流電圧が検出されないときは、ウーハー装置４０が接続されていないものと確認（判断）する（ステップＳ４２）。
【００６４】
ウーハー装置４０が接続されていないものと確認（判断）された後は、このマイコン１５はトランジスタ１９ａをオフとし直流電圧検出回路１９を不動作とする（ステップＳ４３）と共にミュート回路を構成するトランジスタ１４Ｌ及び１４Ｒをオフとしてミュート回路を不動作とし（ステップＳ４４）、テレビジョン受像機内のスピーカ６Ｌ及び６Ｒの２チャンネル動作モードとする（ステップＳ４５）。
【００６５】
更に、本例においては、ステップＳ３７において、直流電圧検出回路１９において直流電圧があると判断されたときは、ウーハー装置４０は動作状態になっていないので、前述のステップＳ４２に移行し、テレビジョン受像機内のスピーカ６Ｌ及び６Ｒの２チャンネルモードで動作する如くする。
【００６６】
また、この図４例においては、音声信号の伝送経路にコンデンサ８Ｌ，１０Ｌ及び４２とコンデンサ８Ｒ及び１０Ｒとを設けたので直流成分はカットされており、音声信号への影響は遮断されている。
【００６７】
本例によれば、ウーハー装置４０の直流電圧供給回路４７で音声信号入力端子４０ａに重畳した直流電圧をテレビジョン受像機の音声出力装置１の直流電圧検出回路１９で検出し、更にウーハー装置４０の主電源スイッチ５２し、このウーハー装置４０が動作状態となったことをこの直流電圧検出回路１９で検出しているので、音声出力装置１側でウーハー装置４０の接続を検出でき、音声出力装置１側で検出専用の接続経路を必要とすることなく、音声信号の伝送経路のみでこのウーハー装置４０の接続を検出できる。
【００６８】
尚、上述例では、音声出力機器としてテレビジョン受像機を適用した例につき述べたが、この代わりに音響機器等その他の音声出力機器であっても良いことは勿論である。
【００６９】
上述例では、音声入力機器として外部スピーカ装置、ウーハー装置を用いた例につき述べたが、録音機器等その他の音声入力機器であっても良いことは勿論である。
【００７０】
また、本発明は上述例に限ることなく、本発明の要旨を逸脱することなく、その他種々の構成が採り得ることは勿論である。
【図面の簡単な説明】
【００７１】
【図１】本発明音声出力機器における音声入力機器の接続検出装置を実施するための最良の形態の例を示す構成図である。
【図２】図１の説明に供するフローチャートである。
【図３】図１の説明に供するフローチャートである。
【図４】本発明音声出力機器におけるウーハー装置の接続検出装置を実施するための最良の形態の例を示す構成図である。
【図５】図４の説明に供するフローチャートである。
【図６】図４の説明に供するフローチャートである。
【図７】図４の説明に供する線図である。
【符号の説明】
【００７２】
１…音声出力装置、２…外部スピーカ装置、２Ｌ…左信号入力端子、２Ｒ…右信号入力端子、３…音声信号入力端子、４…デジタルシグナルプロセッサ、６Ｌ、６Ｒ、２４Ｌ、２４Ｒ…スピーカ、８Ｌ，８Ｒ、１０Ｌ、１０Ｒ、２２Ｌ、２２Ｒ、４２…コンデンサ、１２Ｌ…外部左信号出力端子、１２Ｒ…外部右信号出力端子、１５…マイコン、１９、３０…直流電圧検出回路、２０、２７、４７…直流電圧供給回路、４０…ウーハー装置、４０ａ…音声信号入力端子、４０ｂ…入力端子、５２…主電源スイッチ
【図１】
2007013448.tif 000003
【図２】
2007013448.tif 000004
【図３】
2007013448.tif 000005
【図４】
2007013448.tif 000006
【図５】
2007013448.tif 000007
【図６】
2007013448.tif 000008
【図７】
2007013448.tif 000009